(57)【要約】      （修正有）【課題】ＬＥＤ発光面を安定に固定でき、熱による変位を越しにくいＬＥＤ塔型発光モジュールを提供する。【解決手段】少なくとも三つのＬＥＤ発光面とＬＥＤ発光面を固定する架台を設ける台座を含み、ＬＥＤ発光面は架台を取り囲んで角錐体を形成する。架台は支柱を含み、支柱の表面に沿って外側へ輻射状に複数の支持板が均一に配置され、隣接する二つの支持板間の領域にＬＥＤ発光面を配置する。支柱上端にカバーが設置され、カバーのエッジ部から下方向へ支持板の側面に沿って延びる側面板を形成し、側面板の左右両端はいずれも内側へ折れ曲がりＬＥＤ発光面のエッジ部を覆う縁取りを形成し、ＬＥＤ発光面の両端は縁取りと側面板で形成したスライド内に貫設する。縁取りはＬＥＤ発光面のエッジ部を覆い、側面板はエッジ部を支えることで左右の偏移と緩みが生じないよう固定する。【選択図】図１
0003186038.tif 000002
【実用新案登録請求の範囲】
【請求項１】
ＬＥＤ塔型発光モジュールであって、
少なくとも三つのＬＥＤ発光面（７）と、前記ＬＥＤ発光面（７）を固定する架台（８）が設置されている台座（６）とを含み、
前記ＬＥＤ発光面（７）は、前記架台（８）を取り囲んで角錐体を形成させていることを特徴とするＬＥＤ塔型発光モジュール。
【請求項２】
前記架台（８）は、支柱（９）を含み、前記支柱（９）の表面に沿って外側へ輻射状に複数の支持板（１０）が均一に配置されており、隣接する二つの前記支持板（１０）の間にある領域は、前記ＬＥＤ発光面の定位置であり、前記支柱（９）の上端にはカバー（１１）が設置され、前記カバー（１１）のエッジ部から下方向へ前記支持板（１０）の側面に沿って延びている側面板（１２）を形成しており、前記側面板（１２）の左右両端はいずれも前記支持板（１０）の表裏両面を越えており、前記側面板（１２）の左右両端はいずれも内側へ折れ曲がってＬＥＤ発光面エッジ部を覆う縁取り（１３）を形成し、前記ＬＥＤ発光面（７）の両端は、前記縁取り（１３）と前記側面板（１２）により形成されたスライド内に貫設されていることを特徴とする請求項１に記載のＬＥＤ塔型発光モジュール。
【請求項３】
前記支柱（９）の底部には、ネジ穴（１４）が設けられており、前記台座（６）の中心部には貫通孔（１５）が設けられ、ねじ（１６）は前記貫通孔（１５）を貫通した後、前記ネジ穴（１４）内にねじ込まれていることを特徴とする請求項２に記載のＬＥＤ塔型発光モジュール。
【請求項４】
前記側面板（１２）の底部には、脚部（１６）が設けられており、前記台座（６）の前記エッジ部には、前記脚部（１６）を収納する切込み（１７）が設けられ、前記脚部（１６）は前記切込み（１７）内に挿設されていることを特徴とする請求項２または請求項３に記載のＬＥＤ塔型発光モジュール。
【請求項５】
同一前記ＬＥＤ発光面の前記定位置内で、二つの前記縁取り（１３）の上端の間に上部フランジ（２３）が連結されており、前記上部フランジ（２３）の上端は前記カバー（１１）に連結されていることを特徴とする請求項２に記載のＬＥＤ塔型発光モジュール。
【請求項６】
前記台座（６）の下表面にはプリント基板が設けられており、前記ＬＥＤ発光面（７）には二つの電極ピン（１８）が設けられ、前記台座（６）にはピン孔（１９）が形成されており、前記電極ピン（１８）は前記ピン孔(１９）を貫通して前記プリント基板にハンダ付されていることを特徴とする請求項１に記載のＬＥＤ塔型発光モジュール。
【請求項７】
それぞれの前記ＬＥＤ発光面（７）には、複数のＬＥＤチップ（２４）がハンダ付されていることを特徴とする請求項１に記載のＬＥＤ塔型発光モジュール。
【請求項８】
前記台座（６）には、三つの前記ＬＥＤ発光面（７）が設けられており、前記ＬＥＤ発光面（７）は前記架台（８）を取り囲んで三角錐体を形成させていることを特徴とする請求項１に記載のＬＥＤ塔型発光モジュール。
【考案の詳細な説明】
【技術分野】
【０００１】
本考案は、ＬＥＤ発光モジュールに関し、特に、ＬＥＤ塔型発光モジュールに関する。
【背景技術】
【０００２】
ＬＥＤランプは、その低エネルギー消耗、高発光効率、長寿命および高い信頼度でますます幅広い注目を浴びており、徐々に照明分野にも応用されている。普通のＬＥＤランプは、一般的に、複数のＬＥＤを水平の設置板に設置することにより、ＬＥＤの光に方向性を持たせ、そのため、その全体的発光視覚範囲は一般的に１００度〜１３０度となり、ＬＥＤランプエッジ部のある領域に輝度盲点領域を形成させ、特に、ＬＥＤランプ笠の周辺における下部領域は暗く、特に、ＬＥＤランプを装飾用ランプとする場合、その装飾効果に大きく影響することになっている。
【０００３】
その改善策として、ＬＥＤが取り付けられている複数の設置板（すなわち、ＬＥＤ発光面）を角錐状に形成させることで、発光角度を大きくし、照射範囲を拡大している。しかし、各ＬＥＤ発光面は、予め設置しておいた角錐体の側面に接着固定されているため、使用の際、これらのＬＥＤ発光面は発熱により、接着剤の接着性を悪くさせ、それ自体が脱落してしまう。さらに、接着の際、位置コントロールが難しく、発光面が変位してしまい、製品外観に悪い影響を与えている。
【考案の概要】
【考案が解決しようとする課題】
【０００４】
本考案は、ＬＥＤ発光面の組み付けが不便であり、固定しづらく、変位しやすい問題を解決することを目的とする。
【課題を解決するための手段】
【０００５】
ＬＥＤ塔型発光モジュールは、少なくとも三つのＬＥＤ発光面と、ＬＥＤ発光面を固定する架台が設置されている台座とを含み、ＬＥＤ発光面は、架台を取り囲んで角錐体を形成させている。
【０００６】
また、前記架台は、支柱を含み、支柱の表面に沿って外側へ輻射状に複数の支持板が均一に配置されており、隣接する二つの支持板の間にある領域は、ＬＥＤ発光面の定位置であり、支柱の上端にはカバーが設置され、カバーのエッジ部から下方向へ支持板の側面に沿って延びている側面板を形成しており、側面板の左右両端はいずれも支持板の表裏両面を越えており、側面板の左右両端はいずれも内側へ折れ曲がってＬＥＤ発光面のエッジ部を覆う縁取りを形成し、ＬＥＤ発光面の両端は縁取りと側面板により形成されたスライド内に貫設されている。ＬＥＤ発光面は固定された後、発光面だけを露出し、縁取りはＬＥＤ発光面のエッジ部を覆い、ＬＥＤ発光面を架台から外れないようにさせ、側面板はＬＥＤ発光面のエッジ部を支えることにより、左右の偏移と緩みが生じないようになり、よって、機械の強度を向上させるだけではなく、発光面をより確実に固定することができる。
【０００７】
また、支柱の底部にはネジ穴が設けられており、台座の中心部には貫通孔が設けられ、ねじは貫通孔を貫通した後、ネジ穴内にねじ込められている。架台と台座はねじにより連結されており、着脱が容易であり、固定が確実である。
【０００８】
また、確実に位置決めを行い架台の回転を防止するために、側面板の底部には、脚部が設けられており、台座のエッジ部には、前記脚部を収納する切込みが設けられ、前記脚部は前記切込み内に挿設されている。
【０００９】
また、同一のＬＥＤ発光面の定位置内で、二つの縁取りの上端の間には上部フランジが連結されており、上部フランジの上端は前記カバーに連結されている。同じように、上部フランジはＬＥＤ発光面の上端を覆い、ＬＥＤ発光面の上端を確実に固定するだけではなく、全体的に美観を与えている。
【００１０】
また、台座の下表面にはプリント基板が設けられており、ＬＥＤ発光面には二つの電極ピンが設けられ、台座にはピン孔が形成されており、電極ピンはピン孔を貫通してプリント基板にハンダ付されている。このように、プリント基板は、台座の下表面に設置され隠れているため、製品の美観を損なうことがない。
【００１１】
また、それぞれのＬＥＤ発光面には複数のＬＥＤチップがハンダ付されている。ＬＥＤチップの消費電力は一般的に５Ｗ以下であるので、熱量を放出しやすいことから、照明に悪い影響を与えない。
【００１２】
また、前記台座には三つのＬＥＤ発光面が設けられており、前記ＬＥＤ発光面は架台を取り囲んで三角錐体を形成させている。従って、本考案は三角錐状の塔型発光体であり、その構成はシンプルで合理的である。
【考案の効果】
【００１３】
本考案は、従来のＬＥＤ発光面の固定が不安定であり、変位しやすい問題を解決している。つまり、ＬＥＤ発光面を特製の架台に位置させ、各ＬＥＤ発光面をスライド内に挿入し上へ押し付けるだけでＬＥＤ発光面の装着はひと段落し、その後、ＬＥＤ発光面の電極ピンを台座に形成したピン孔に挿入し、台座に形成した貫通孔を貫通してねじを架台の支柱に挿入し締め付ける。そして、ＬＥＤ発光面における電極ピンを台座の下表面におけるプリント基板にハンダ付するだけで、ＬＥＤ発光面の組み付けが完了し、組み付け作業は非常に簡単であり、確実に組み付けた後は、ＬＥＤ発光面の変位や脱落が発生せず、安定性がある。
【図面の簡単な説明】
【００１４】
【図１】本考案の分解図である。
【図２】本考案における架台の立体構造を示す概略図である。
【図３】架台の平面構造を示す概略図である。
【考案を実施するための形態】
【００１５】
[実施例]
本考案のＬＥＤ塔型発光モジュールは、図１に示すように、三つのＬＥＤ発光面（７）と、ＬＥＤ発光面（７）を固定するための架台（８）が設けられている台座（６）を含んでいる。ＬＥＤ発光面（７）は、三角形に類似する形状を呈し、前記ＬＥＤ発光面（７）は、架台（８）を取り囲んで三角錐体を形成している。
【００１６】
それぞれのＬＥＤ発光面（７）には、複数のＬＥＤチップ（２４）がハンダ付けされている。
【００１７】
図２および図３に示すように、前記架台（８）は円柱体の形状を呈する支柱（９）を含み、支柱（９）の表面に沿って外方向へ輻射状を呈して均一に三つの支持板（１０）が配置されている。隣接する二つの支持板（１０）の間にある領域は、ＬＥＤ発光面の定位置であり、支柱（９）の上端にはカバー（１１）が設けられている。カバー（１１）のエッジ部から下方向へ支持板（１０）の側面に沿って延びている側面板（１２）を形成しており、側面板（１２）の左右両端はいずれも支持板（１０）の表裏両面を超えている。側面板（１２）の形状は、ＬＥＤ発光面の側面の形状と同じく、側面板（１２）の左右両端は、いずれも内側へ折れ曲がってＬＥＤ発光面のエッジ部を覆う縁取り（１３）を形成している。ＬＥＤ発光面（７）の両端は、縁取り（１３）と側面板（１２）により形成されたスライド（２５）内に貫設され、ＬＥＤ発光面（７）におけるＬＥＤチップ（２４）はいずれも外側に露出されており、確実に固定されるだけではなく、その発光に不利な影響を受けていない。側面板（１２）の底部には、脚部（１６）が設けられており、台座（６）のエッジ部には、脚部（１６）を収納する切込み（１７）が形成され、脚部（１６）は前記切込み（１７）に挿設されている。同一ＬＥＤ発光面の定位置内で、二つの縁取り（１３）の上端の間には上部フランジ（２３）が連結されており、上部フランジ（２３）の上端はカバー（１１）に連結されている。
【００１８】
図２に示すように、支柱（９）の底部にネジ穴（１４）が形成されており、また、図１に示すように、台座（６）の中心部に貫通孔（１５）が形成されている。ねじ（１６）は貫通孔（１５）を貫通した後ネジ穴（１４）内にねじ込まれている。
【００１９】
図１に示すように、台座（６）の下表面にはプリント基板（図示せず）が設けられており、ＬＥＤ発光面（７）には二つの電極ピン（１８）が設けられ、台座（６）にはピン孔（１９）が設けられている。電極ピン（１８）は、ピン孔（１９）を貫通してプリント基板にハンダ付けされている。
【符号の説明】
【００２０】
６：台座 
７：ＬＥＤ発光面
８：架台
９：支柱
１０：支持板
１１：カバー
１２：側面板
１３：縁取り
１４：ネジ穴
１５：貫通孔
１６：ねじ、脚部
１７：切込み
１８：電極ピン
１９：ピン孔
２３：上部フランジ
２４：ＬＥＤチップ
２５：スライド
【図１】
0003186038.tif 000003
【図２】
0003186038.tif 000004
【図３】
0003186038.tif 000005